(57)【要約】【課題】プレイリストによるコンテンツ再生の際にも、プレイリストを変更する必要なく、再生したいコンテンツを一時的にだけユーザが自由かつ気軽に追加できるようにする。【解決手段】プレイリスト再生によるコンテンツ再生中、通常はプレイリストの次の曲を選択して再生対象とする。ユーザがプレイリスト再生中にある曲を選択した場合、その選択入力された曲が割り込み曲リストの末尾に追加される。こうして割り込み曲リストに曲情報が登録されている場合、曲選択では、割込曲リストの先頭の曲を再生対象として選択する。このため、再生中のコンテンツの次の再生対象が、割り込み入力されたコンテンツとなる。【選択図】図１
2012084203.tif 000002
【特許請求の範囲】
【請求項１】
コンテンツを再生する再生手段と、
再生コンテンツの割り込み入力を受ける入力手段と、
プレイリストに従って前記再生手段がコンテンツを再生中に前記入力手段から割り込み入力された場合、該再生中のコンテンツの次の再生対象を該割り込み入力されたコンテンツにするように制御する制御手段と、を備えたことを特徴とするコンテンツ再生装置。
【請求項２】
前記制御手段は、
前記再生手段がプレイリストに従って再生する場合に該再生中のコンテンツの特定情報および該プレイリストの特定情報を格納するプレイリスト情報格納部と、
前記入力手段から割り込み入力された場合に該割り込み入力されたコンテンツの特定情報を格納する割り込みリスト格納部と、
次の再生対象とするコンテンツを選択する選択部とを備え、
前記選択部は、前記割り込みリスト格納部にコンテンツの特定情報が格納されている場合、前記割り込みリスト格納部を前記プレイリスト情報格納部よりも優先させて次の再生対象とするコンテンツを選択することを特徴とする請求項１記載のコンテンツ再生装置。
【請求項３】
前記選択部は、
前記割り込みリスト格納部にコンテンツの特定情報が格納されている場合、該割り込みリスト格納部の先頭の再生順序である特定情報により特定されるコンテンツを次の再生対象とし、
前記割り込みリスト格納部にコンテンツの特定情報が格納されておらず、前記プレイリスト情報格納部にコンテンツの特定情報が格納されている場合、該プレイリスト情報格納部に格納されたプレイリスト特定情報により特定されるプレイリストにおける、再生中のコンテンツ特定情報により特定されるコンテンツの次の再生順序であるコンテンツを次の再生対象とするよう選択することを特徴とする請求項２記載のコンテンツ再生装置。
【請求項４】
前記再生手段は、コンテンツの再生が終了する度に、次の再生対象とするコンテンツの選択要求を前記選択部に送信することを特徴とする請求項２または３記載のコンテンツ再生装置。
【請求項５】
プレイリストに従って再生中に再生コンテンツの割り込み入力を受けた場合、該再生中のコンテンツの次の再生対象を該割り込み入力されたコンテンツにするように制御することを特徴とするコンテンツ再生方法。
【請求項６】
前記プレイリストに従って再生する場合に該再生中のコンテンツの特定情報および該プレイリストの特定情報を格納するプレイリスト情報格納工程と、
再生コンテンツの割り込み入力を受けた場合に該割り込み入力されたコンテンツの特定情報を入力順序に関連付けて格納する割り込みリスト格納工程と、
次の再生対象とするコンテンツを選択する選択工程とを備え、
前記選択工程では、前記割り込みリスト格納工程でコンテンツの特定情報が格納されている場合、前記割り込みリスト格納工程で格納された情報を、前記プレイリスト情報格納工程で格納された情報よりも優先させて次の再生対象の選択を行うことを特徴とする請求項５記載のコンテンツ再生方法。
【請求項７】
前記選択工程では、
前記割り込みリスト格納工程でコンテンツの特定情報が格納されている場合、該割り込みリストの先頭の入力順序である特定情報により特定されるコンテンツを次の再生対象とし、
前記割り込みリスト格納工程でコンテンツの特定情報が格納されておらず、前記プレイリスト情報格納工程でコンテンツの特定情報が格納されている場合、該プレイリスト情報格納工程で格納されたプレイリスト特定情報により特定されるプレイリストにおける、再生中のコンテンツ特定情報により特定されるコンテンツの次の再生順序であるコンテンツを次の再生対象とするよう選択することを特徴とする請求項６記載のコンテンツ再生方法。
【請求項８】
前記選択工程は、各コンテンツの再生が終了する度に行われることを特徴とする請求項６または７記載のコンテンツ再生方法。
【発明の詳細な説明】
【技術分野】
【０００１】
本発明は、複数のコンテンツを各コンテンツの再生順序と共にまとめたリスト（以下、プレイリスト）を用いて、例えば音楽や映像等の各種コンテンツ再生ができるコンテンツ再生装置および再生方法に関する。
【背景技術】
【０００２】
近年、携帯型デジタルプレーヤなど各種のプレーヤでは、プレイリストによるコンテンツ管理が広く行われている。こうしたコンテンツ管理では、ユーザが各自の好みを反映させるようにプレイリストを編集できるようになっている。
【０００３】
また、カラオケシステムについて、予約曲格納メモリに登録されている曲名リストに、新たな曲名を割り込み登録する手段を備えたものがある（例えば、特許文献１参照）。
【先行技術文献】
【特許文献】
【０００４】
【特許文献１】特開２００２−３２０８９号公報
【発明の概要】
【発明が解決しようとする課題】
【０００５】
しかしながら、上述したプレイリストによるコンテンツ再生をしている場合にも、ユーザとしては、その時の周囲の人との話題に出た曲など、その時の気分に応じて、プレイリストに登録されているコンテンツ以外のコンテンツを再生したい場合がある。
そうした場合、一度プレイリストによる再生モードを解除しなくては他のコンテンツ再生ができなかった。このため、そのコンテンツ再生が終了するとそのまま再生が止まってしまい、またプレイリスト再生の操作を再度行う必要があった。
【０００６】
例えばＢＧＭとして音楽を流している時に再生が止まってしまったり、他のコンテンツを再生するために再生中の音楽を途中で止めてしまったりすると、いい気分の雰囲気がスムーズに流れず、ユーザにとっての利便性を損ねてしまう虞があった。
このため、一時的に他のコンテンツを再生する場合であっても、再生中のコンテンツを途中で止めたり、コンテンツ再生が止まってしまうことのないようにすることが好ましい。
【０００７】
また、上述した特許文献１のようにして、プレイリストそのものを編集することで新たな曲名を割り込み登録してしまうと、普段の使用の際にも割り込み登録した曲がプレイリストに加わってしまう。すなわち、ユーザにとっては、自身の好みを反映させるようにこれまで作り上げてきたプレイリストを変更されてしまうことになってしまう。このように、再生したいコンテンツを一時的にだけ自由かつ気軽に追加することについてまで考慮されたものではなかった。
また、割り込み登録後による再生にプレイリストを元に戻そうとすると、改めてプレイリストの編集作業が必要となってしまっていた。
【０００８】
本発明はこのような状況に鑑みてなされたものであり、プレイリストによるコンテンツ再生の際にも、プレイリストを変更する必要なく、再生したいコンテンツを一時的にだけユーザが自由かつ気軽に追加することができるコンテンツ再生装置および再生方法を提供することを目的とする。
【課題を解決するための手段】
【０００９】
かかる目的を達成するために、本発明に係るコンテンツ再生装置は、コンテンツを再生する再生手段と、再生コンテンツの割り込み入力を受ける入力手段と、プレイリストに従って再生手段がコンテンツを再生中に入力手段から割り込み入力された場合、該再生中のコンテンツの次の再生対象を該割り込み入力されたコンテンツにするように制御する制御手段と、を備えたことを特徴とする。
【００１０】
また、本発明に係るコンテンツ再生方法は、プレイリストに従って再生中に再生コンテンツの割り込み入力を受けた場合、該再生中のコンテンツの次の再生対象を該割り込み入力されたコンテンツにするように制御することを特徴とする。
【発明の効果】
【００１１】
以上のように、本発明によれば、プレイリストによるコンテンツ再生の際にも、プレイリストを変更する必要なく、再生したいコンテンツを一時的にだけユーザが自由かつ気軽に追加することができる。
【図面の簡単な説明】
【００１２】
【図１】本発明の実施形態の概略を示す図である。
【図２】本発明の実施形態としてのコンテンツ再生装置の構成例を示すブロック図である。
【図３】コンテンツ再生部３３の動作例を示すフローチャートである。
【図４】コンテンツ選択部３５による次の再生対象の選択動作例を示すフローチャートである。
【図５】ユーザによる操作画面の遷移例を示す図である。
【発明を実施するための形態】
【００１３】
次に、本発明に係るコンテンツ再生装置および再生方法を、音楽コンテンツの再生装置に適用した一実施形態について、図面を用いて詳細に説明する。
【００１４】
まず、本実施形態の概略について、図１を参照して説明する。
本実施形態の曲選択では、図１の＜２＞に示すように、プレイリスト再生によるコンテンツＭ１再生中、通常はプレイリストの次の曲Ｍ２を選択して再生対象とする。
ここで、ユーザがプレイリスト再生中にある曲を選択した場合、その選択入力された曲が割り込み曲リストの末尾に追加される。こうして割り込み曲リストに曲情報が登録されている場合、曲選択では、図１の＜１＞に示すように、割り込み曲リストの先頭の曲を再生対象として選択する。
【００１５】
こうして割り込み曲リストに登録された曲を優先して選択することにより、プレイリスト再生中にも、ユーザの入力により、プレイリストを一切編集することなく、一時的にだけ曲を追加して次の曲として再生させることができる。
【００１６】
次に、本実施形態の構成について、詳細に説明する。
本実施形態のコンテンツ再生装置は、図２に示すように、操作入力を受ける操作表示部１と、コンテンツデータ等の入力を受ける入力部２と、制御部３と、デコーダ４と、スピーカなどの出力部５と、内蔵プレーヤ６とを備えて構成される。
【００１７】
図２に示す各部について、以下に説明する。
操作表示部１は、例えばタッチパネルディスプレイなどの表示部と、各種の操作入力部とを備えたＨＭＩ（human-machine interface）である。
【００１８】
入力部２は、携帯デジタルプレーヤや携帯電話などの外部プレーヤや、ＳＤ（Secure Digital）カード等の各種記録媒体を接続させるインタフェースである。このインタフェースは、有線接続のコネクタであってもよく、ブルートゥース（登録商標）等の無線接続インタフェースであってもよい。
【００１９】
制御部３は、ＣＰＵや各種メモリにより実現され、コンテンツ再生装置全体の動作制御を行う。ここでの各種メモリは、ＲＡＭといった揮発性記憶部で構成されてもよく、ＨＤＤや各種メモリカードといった不揮発性記憶部をさらに含んだ構成であってもよい。
【００２０】
操作系制御部３１は、操作表示部１からの入力に応じて、内蔵プレーヤ６や接続された外部プレーヤなどの操作制御を行う。また、操作系制御部３１は、操作表示部１の表示パネルによる表示制御を行う。
内蔵プレーヤ６の操作制御は、例えば再生／停止／曲選択などであり、対応する画面を操作表示部１の表示パネルに表示させる。また、プレイリスト再生中に曲選択が行われると、選択された曲の格納場所および曲番号といった特定情報を割り込み曲リスト（割り込みリスト格納部）３２に追加する。
【００２１】
割り込み曲リスト３２は、プレイリスト再生中に曲が選択されることで割り込みとして入力された曲の特定情報を、入力された順に格納する。すなわち、この領域はキュー（先入れ先出しの一次領域）として動作する。
【００２２】
コンテンツ再生部３３は、再生曲ステータス（再生対象格納部）３４に格納されているコンテンツの特定情報に従って、その特定情報で特定されるコンテンツを再生する。コンテンツの再生が最後まで終了すると、コンテンツ選択部３５に対して、再生曲ステータス３４の更新要求を送信する。
【００２３】
コンテンツ選択部３５は、選択可能なコンテンツの一覧から次に再生するコンテンツを選択し、選択したコンテンツの特定情報を再生曲ステータス３４に格納する。また、プレイリストに従って順に再生している場合には、選択されているプレイリストにおける次の曲の特定情報をプレイリストステータス（プレイリスト情報格納部）３６に格納する。
【００２４】
選択可能なコンテンツとしては、例えば、内蔵プレーヤ６、入力部２を介して接続された外部プレーヤや各種記録媒体などに格納されているコンテンツが挙げられる。すなわち、本実施形態のコンテンツ再生装置により再生可能なあらゆるコンテンツが選択可能なコンテンツとなる。
【００２５】
プレイリストステータス３６は、プレイリストの格納場所（プレーヤ名または記録媒体名）およびプレイリスト名といったプレイリストの特定情報と、そのプレイリストにおける何曲目を再生中であるかといったコンテンツの特定情報とを格納する。
【００２６】
再生曲ステータス３４は、コンテンツ再生部３３における現在の再生対象であるコンテンツの特定情報と、そのコンテンツの再生時間情報を格納する。このことにより、途中で電源が切れた場合であっても、その続きから再生を開始することができるようになっている。
【００２７】
デコーダ４は、コンテンツ再生部３３によるデジタル再生データをデコードし、出力部５のスピーカから出力させる。
【００２８】
内蔵プレーヤ６は、挿入されたＣＤ等のプレーヤであり、ユーザが操作表示部１によりプレイリストを設定できるようになっている。プレイリストの設定方法は公知のものであ
ってよい。こうして、内蔵プレーヤ６は、設定されたプレイリストのデータと、再生可能なコンテンツデータとを格納する。
プレイリストは、例えばＣＤ単位、アーティスト単位、最近再生された所定数のリスト（latest update）といった自動的に作成されるものであってもよく、上述のようにユーザが手動で設定するものであってもよい。
【００２９】
また、入力部２を介して接続される外部プレーヤや記録媒体についても、コンテンツデータを格納すると共に、プレイリストによるコンテンツ管理も可能であることとする。
【００３０】
次に、本実施形態の動作について説明する。
まず、本実施形態によるコンテンツ再生の動作全体について、図３のフローチャートを参照して説明する。
【００３１】
コンテンツ再生部３３は、コンテンツ選択部３５により格納された再生曲ステータス３４のコンテンツ特定情報に従って、その格納された特定情報により特定されるコンテンツを再生する（ステップＳ１）。電源ＯＮから最初の再生開始時など、再生曲ステータス３４にコンテンツ特定情報が格納されていない場合、コンテンツ再生部３３は、まずコンテンツ選択部３５にコンテンツ選択要求を送信し、再生曲ステータス３４にコンテンツ特定情報を格納させ、その格納されたコンテンツ特定情報により特定されるコンテンツを再生する。
【００３２】
再生曲ステータス３４のコンテンツ特定情報により特定される曲の再生が終了すると（ステップＳ２）、コンテンツ再生部３３は、コンテンツ選択部３５に再生曲ステータス３４の更新要求を送信する。こうしてコンテンツ選択部３５により再生曲ステータス３４が更新されると（ステップＳ３）、コンテンツ再生部３３は、次の曲について再びステップＳ１の動作に移り、更新された再生曲ステータス３４のコンテンツ特定情報により特定される曲を次の再生対象として再生する。
【００３３】
次に、上述したステップＳ３としての、コンテンツ選択部３５による再生曲ステータス３４の更新動作について、図４のフローチャートを参照して説明する。
【００３４】
コンテンツ選択部３５は、コンテンツ再生部３３からの再生曲ステータス３４の更新要求を受信すると、まず、割り込み曲リスト３２を検索し、曲の特定情報が格納されているか否かを確認する（ステップＳ１１）。格納されている場合、割り込み曲リスト３２の先頭の順序として格納されている曲の特定情報を選択し（ステップＳ１２）、その曲の特定情報により再生曲ステータス３４を更新する（ステップＳ１３）。
【００３５】
割り込み曲リスト３２を検索した際に、曲の特定情報が格納されていない場合（ステップＳ１１；Ｎｏ）、コンテンツ選択部３５は、プレイリストステータス３６を検索し、曲の特定情報が格納されているか否かを確認する（ステップＳ１４）。格納されている場合、その格納されているプレイリスト特定情報および曲特定情報により特定される曲を次の再生対象として選択し（ステップＳ１５）、そのプレイリスト特定情報および曲特定情報により再生曲ステータス３４を更新する。また、プレイリストステータス３６における曲特定情報を、プレイリストにおける次の再生順序の曲に更新する（ステップＳ１６）。
【００３６】
プレイリストステータス３６を検索した際に、曲の特定情報が格納されていない場合（ステップＳ１４；Ｎｏ）、コンテンツ選択部３５は、プレイリスト再生でない通常再生中と判断し、例えば内蔵プレーヤ６、外部プレーヤ、ＳＤカードなど、選択されているメディアにおける次の曲を次の再生対象として選択し（ステップＳ１７）、その曲の特定情報により再生曲ステータス３４を更新する（ステップＳ１８）。
【００３７】
次に、ユーザによる操作と上述した本実施形態による動作について、図５に示す操作画面例を参照して説明する。
図５の例では、操作表示部１の表示パネルがタッチパネルであり、さらに操作表示部１として、ハードウェアボタンによるメディア選択ボタン、一時割り込みボタンが設けられていることとして説明する。
【００３８】
まず、プレイリスト再生中には、例えば図５（ａ）に示すような再生中を示す画面が操作表示部１の表示パネルに表示される。図５（ａ）の例では、プレイリスト“ｘｘｘ”における曲“Ａ”が再生中となっている。
【００３９】
ここで、ユーザが内蔵プレーヤ６にＣＤを挿入する、あるいは操作表示部１における不図示のメディア選択ボタンまたは一時割り込みボタンを押下すると、図５（ｂ）に例示するような一時割り込み選択画面が操作表示部１の表示パネルに表示される。図５（ｂ）の例では、メディアとしてＣＤが選択され、そのＣＤからの曲選択画面が表示されている。ＣＤの曲の全選択または無選択でＯＫボタンが押下された場合、操作系制御部３１は全曲を割り込み曲として登録し、いくつかの曲が選択された状態でＯＫボタンが押下された場合、その選択された曲を操作系制御部３１が割り込み曲として登録する。
【００４０】
このように、図５（ｂ）に例示するような一時割り込み選択画面では、ユーザは通常の曲選択操作と同一の操作により、デバイス（メディア）選択を行い、そのメディアにおける曲選択を行い、曲の登録を行う。操作系制御部３１は、入力された曲の特定情報を、割り込み曲リスト３２の一番最後に追加する。
【００４１】
こうしてＯＫボタンが押下されてユーザ指定の割り込み曲が登録されると、図５（ｄ）に例示するような割り込み曲再生画面となり、選択されているメディアと曲名が表示される。
【００４２】
また、図５（ｂ）に例示する一時割り込み選択画面でユーザが“ｃｈａｎｇｅ”ボタンを押下すると、図５（ｃ）に例示するようなメディア切り替え画面が操作表示部１の表示パネルに表示される。プレイリスト再生への割り込みでなく、プレイリスト再生を中断して再生対象のメディアを切り替える場合、ユーザはこうしたメディア切り替え画面によりメディア選択、曲選択を行う。
【００４３】
また、図５（ｃ）に例示するようなメディア切り替え画面でユーザが“ｉｎｓｅｒｔ”ボタンを押下すると、図５（ｂ）に例示するような一時割り込み選択画面が操作表示部１の表示パネルに表示される。
【００４４】
このように、プレイリスト再生中の操作についても、本実施形態による一時割り込み登録とするか、プレイリスト再生を中断して再生対象のメディア切り替えを行うかを、ユーザの操作により簡単に切り替えることができる。
【００４５】
また、図５（ｂ）に例示する一時割り込み選択画面と、図５（ｃ）に例示するようなメディア切り替え画面とでは、画面の背景色を異なるものとするように表示する。
このことにより、選択画面の機能（メディア選択、曲選択）としては、通常の再生曲選択の画面と同様であるが、表示中の画面が割り込み曲の選択画面であるか、メディア切り替え画面であるかをユーザが混同しないように明確に示すことができる。
【００４６】
また、上述した図５の各画面でのユーザ操作中にも、図５（ｃ）のメディア切り替え画面でメディアの切り替え入力をしない限り、プレイリストに従ったプレイリスト再生はそ
のまま継続される。
【００４７】
また、図５（ｂ）に例示する一時割り込み選択画面や、図５（ｃ）のメディア切り替え画面では、ユーザが不図示のキャンセルボタンを押下しない限り、ユーザがしばらく操作しなくても最後の操作状態の画面を保持することとする。
このことにより、例えば本実施形態のコンテンツ再生装置が車載用の装置である場合、運転中に赤信号で止まった時などにユーザが曲選択を行い、曲選択中に信号機が青に変わったとしても、次に停車した時に続きから曲選択を行うことができる。
【００４８】
また、図５（ｂ）に例示する一時割り込み選択画面や、図５（ｃ）のメディア切り替え画面から、ユーザが曲選択をせず、不図示のキャンセルボタンを押下すると、図５（ａ）のプレイリスト再生画面に戻り、そのままプレイリスト再生を継続することとなる。
【００４９】
以上のように、上述した実施形態によれば、プレイリストによるコンテンツ再生の際にも、ユーザそれぞれが作成してきたプレイリストを一切編集することなく、再生したいコンテンツを一時的にだけ追加することができる。
このため、ユーザはその時の気分に応じて、再生したい曲を一時的にだけ自由かつ気軽に追加することができる。
【００５０】
また、再生したいコンテンツを一時的にだけ追加する場合にも、プレイリストによる曲再生を曲の途中で中断してしまうことなく、順次曲再生を続けていきながら、次の曲を一時追加した割り込み曲とすることができる。このため、プレイリスト再生によるいい気分の雰囲気を乱してしまうことなく、所望の曲の割り込み再生ができる。
【００５１】
また、図３により上述したように、コンテンツ再生部３３は１曲の再生終了毎にコンテンツ選択部３５に再生曲ステータス３４の更新要求を送信し、コンテンツ選択部３５は、更新要求を受信する度に次の再生対象となるコンテンツの選択を行う。
このため、プレイリストに従って再生中にユーザが操作表示部１により曲選択を行い、操作系制御部３１が割り込み曲リスト３２にコンテンツ特定情報を格納した場合、その次の曲選択の時点からすぐに割り込み曲リスト３２の曲を再生対象とすることができる。このため、ユーザの割り込み入力に、次の再生曲からすぐ対応することができる。
【００５２】
なお、上述した各実施形態は本発明の好適な実施形態であり、本発明はこれに限定されることなく、本発明の技術的思想に基づいて種々変形して実施することが可能である。
【００５３】
例えば、図５に示す画面遷移は一例であり、モード設定や、ユーザによるカスタム設定などにより適宜変更可能な構成であってもよい。
【００５４】
また、図５の画面遷移例で説明した一時割り込みボタン等のハードウェアボタンは、タッチパネルであってもよい。また、タッチパネルとして例示した各ボタンは、ハードウェアボタンであってもよい。
【００５５】
また、図５の画面遷移例では、ユーザがメディア選択、曲選択を行い、一時割り込みコンテンツを登録することとして説明したが、ＣＤが挿入された、記録媒体が挿入された、あるいは携帯プレーヤが接続されたといった契機により、その挿入または接続されたメディアに格納されているコンテンツデータを自動的に割り込み曲リスト３２に含められるモードをさらに備えた構成であってもよい。
【００５６】
また、上述した実施形態では、割り込み曲リスト３２、再生曲ステータス３４、プレイリストステータス３６のそれぞれは、制御部３内部、すなわちコンテンツ再生装置の内部
メモリに領域として設けられることとして説明したが、制御部３からアクセス可能な記憶部に格納する構成であればその記憶部は任意の場所であってよく、例えば外部メモリ内に格納する構成であってもよい。
【００５７】
また、上述した実施形態では、本発明を音楽コンテンツの再生装置に適用した一実施形態について説明したが、本発明により再生対象となるコンテンツは音楽に限定されず、例えばスライドショーや映像などをさらに加えた構成であってもよい。この場合、出力部５として表示部をさらに備え、デコーダ４が映像や音声をデコードすることとなる。
【００５８】
また、本明細書における装置は、複数の機能モジュールが論理的に集合したもののことであり、各機能モジュールが単一の筐体内にあるか否かは特に問われるものではない。
例えば、出力部５や内蔵プレーヤ６が別筐体として設けられた構成であっても、本発明は同様に実現可能である。また、割り込み曲リスト３２、再生曲ステータス３４、プレイリストステータス３６が外部の記憶媒体に生成される構成であっても、本発明は同様に実現可能である。
【符号の説明】
【００５９】
１    操作表示部
２    入力部
３    制御部
３１    操作系制御部
３２    割り込み曲リスト（割り込みリスト格納部の一例）
３３    コンテンツ再生部
３４    再生曲ステータス（再生対象格納部の一例）
３５    コンテンツ選択部
３６    プレイリストステータス（プレイリスト情報格納部の一例）
４    デコーダ
５    出力部
６    内蔵プレーヤ
【図１】
2012084203.tif 000003
【図２】
2012084203.tif 000004
【図３】
2012084203.tif 000005
【図４】
2012084203.tif 000006
【図５】
2012084203.tif 000007